【事件の表示】
　平成　４年特許願第２９３７４５号「撮像装置」拒絶査定不服審判事件〔平成　６年　４月２８日出願公開、特開平　６−１２１３２２、請求項の数（２）〕について、次のとおり審決する。
【結　論】
　原査定を取り消す。
　本願の発明は、特許すべきものとする。
【理　由】
１．【手続の経緯、本願発明】
　本願は、平成４年１０月７日の出願であって、その請求項１及び２に係る発明（以下「本願発明」という。）は、平成１１年９月１０日付け、平成１３年１０月１８日付け、平成１５年８月２９日付け、平成１６年３月２９日付け及び平成１７年２月７日付けの各手続補正書により補正された明細書の記載からみて、次に掲げるものである。
　
「【請求項１】被写体を通過した透過光を電気信号に変換して出力する撮像手段と、
　前記撮像手段の出力を映像信号として記憶するためのメモリと、
　前記撮像手段の出力を前記メモリを経由することなく映像信号として表示手段に出力するための第１の出力手段と、
　前記メモリに記憶された映像信号を記録媒体に出力するための第２の出力手段と、
　前記メモリに順次記憶されていく映像信号をスルーで前記第２の出力手段に供給する処理と、前記メモリでの順次記憶を停止した状態で該メモリ上の映像信号を前記第２の出力手段に供給することによって前記被写体を交換する場合に当該交換している状態が前記記録媒体に記録されないようにする処理とを切換える切換手段と、
　を有することを特徴とする撮像装置。
【請求項２】　請求項１において、前記撮像手段の出力をネガポジ反転するネガポジ反転手段を有することを特徴とする撮像装置。」
　
２．【原査定の理由】
　原査定の理由は、概略、下記のとおりである。
　　　　記（原査定の理由）
　本願発明は、下記刊行物１及び２に記載された発明に基づいて当業者が容易に発明をすることができたものであるから、特許法第２９条第２項の規定により、特許を受けることができない。
　　　　記
　　刊行物１：特開昭６２−１８１０２２号公報
　　刊行物２：特開昭６２−　６２６７６号公報
　
３．【当審の判断】
（１）刊行物
　原査定で引用された刊行物１及び２には、下記（ア）ないし（ケ）のとおりの記載がある。
［刊行物１]
（ア）「モニタ画面上で被写体の画像をリアルタイムで動画表示しておき、必要に応じてモニタ画面をフリーズして静止画を表示する内視鏡装置において、高周波電気メス、レーザメス、マイクロ波等を用いた各種処置を行なう際に画面をフリーズしても十分な安全性を確保することをその目的とする。」（２頁左上欄１８行−右上欄４行）
（イ）「内視鏡本体１の操作部にはフリーズスイッチ６，レリーズスイッチ２４が設けられる。内視鏡本体１のコネクタ部はビデオプロセッサ７へ接続され、ビデオプロセッサ７の出力信号がモニタ装置８で表示される。静止画撮影は図示しないカラーイメージレコーダ等の写真撮影装置により光学的に行われたり、光ディスク装置や磁気ディスク装置により電気的に行われる。」（２頁左下欄９−１７行）
（ウ）「高速半導体スイッチ１９は親子表示画面の時は１水平走査期間にメモリＡ１７とメモリＢ１８とを切換える。メモリＡ１７は親画面用メモリ、メモリＢ１８は子画面用メモリである。」（３頁左上欄６−１０行）
（エ）「通常は、ＣＣＤ１１からのＲ、Ｇ、Ｂの色成分信号がメモリＡ１７、メモリＢ１８のいずれにも書込まれる。ここで、メモリＢ１８は書込み専用であるが、メモリＡ１７は書込み／読出しを同時に行なっている。高速半導体スイッチ１９はメモリＡ１７を選択していて、モニタ画面は親画面９のみとされ、画面全体でリアルタイムの動画像が表示される。」（３頁左上欄１１−１８行）
（オ）「被写体のフレーム確認等のために、フリーズスイッチ６をオンする。フリーズスイッチ６がオンされると（第４図（ａ））、メモリＡ１７は書込み／読出し動作から読出し動作のみに切換えられ、親画面９をフリーズする（第４図（ｃ））。メモリＢ１８は書込み動作から書込み／読出し動作に切換えられ、子画面１０にリアルタイムの動画像を表示する（第４図（ｄ））。」（３頁右上欄１−９行）
（カ）「レリーズスイッチ２４がオンされると（第４図（ｂ））、メモリＡ１７は読出しのみの動作を継続し、親画面９はフリーズのままである（第４図（ｃ））。メモリＢ１８は書込み／読出し動作から書込み動作に切換えられ、子画面１０によるリアルタイムの動画表示を停止する（第４図（ｄ））。そして、高速半導体スイッチ１９はメモリＡのみを選択する。この結果、モニタ画面全体がフリーズされ、この静止画が撮影される。」（３頁左下欄４−１２行）
［刊行物２]
（キ）「フレームメモリ７は揮発性のＤＲＡＭが適しており、そのためＡ／Ｄコンバータ８とフレームメモリ７との間には切換えスイッチ８が設けられ、入来する画像信号をフレームメモリ７につぎつぎと記録しているときは接点ａを”オン”、一旦記録した信号をそのまま保持する必要があるときは接点ｂを”オン”として記録された信号を循環させるようにする。
　９はＤ／Ａコンバータで、フレームメモリ７上からよみ出されたディジタル化された画像信号をアナログ信号に変換する。
　１０はモニターで、画像信号を可視像として表示する。
　１１は第２の切換えスイッチで、接点ａを”オン”としたときは、撮像素子４で撮像され信号処理回路５を介してつぎつぎと送られてくる”生”の画像信号をモニター１０に送り表示するようにする。このときはモニター１０はカメラのファインダーの機能を果たす。
　一方、接点ｂを”オン”としたときは、フレームメモリ７の画像信号はＤ／Ａコンバータ９を介してモニター１０に送り込まれ、モニター１０上に表示される。」（２頁右下欄１２−３頁左上欄１４行）
（ク）「ディスク記録部２において、１９は記録信号処理回路で、フレームメモリ７上の画像信号をＤ／Ａコンバータでアナログ信号としたものを後述する記録ディスクに供給するための信号処理をする。」（３頁右上欄１１−１５行）
（ケ）「ここで、ステップ＃３としてレリーズスイッチ１５を”オン”とすると、システムコントローラ１４が駆動され、垂直同期信号ＶＤが切換スイッチ８及び第２の切換スイッチ１１に供給される。ここで、垂直同期信号ＶＤが立ち下がったとき（ステップ＃４）、切換スイッチ８と第２の切換スイッチ１１は、その接点がｂ側に切り換わる（ステップ＃５）。そうすると、フレームメモリ７上の信号データは接点ｂを介して循環するようになり、画像は固定し、いわゆる画像のフリーズ（凍結）の状態となる。この凍結された画像は第２の切換スイッチ１１の接点ｂを経てモニター１０に供給される。
　同時にＤ／Ａコンバータ８を経てディスク記録部２に送られ、この１フレーム分の凍結された画像は記録ディスク２０上に記録される。」（４頁左下欄７行−右下欄２行）
　
（２）本願発明と刊行物１及び２に記載された発明との対比・検討
（ａ）上記記載（ア）ないし（カ）によれば、刊行物１に記載された発明は、メモリＡに順次記憶されていく映像信号をスルーで表示装置に供給表示する処理と、メモリＡでの順次記憶を停止した状態でメモリＡ上の映像信号とメモリＢに順次記憶されスルーした映像信号とを合成して表示装置に供給表示する処理とをフリーズスイッチにより切り換えるものであって、メモリを経由することなく表示手段に出力するものではない。
　上記記載（キ）ないし（ケ）によれば、刊行物２に記載された発明は、フレームメモリに順次記憶されていく映像信号を記録している間は、映像信号は表示装置にメモリを介さず供給表示されるが、レリーズスイッチによりフリーズさせ、映像を記録媒体に記録する場合は、表示装置にはフレームメモリに記憶された映像信号が供給表示されるものである。
（ｂ）原査定で引用された上記刊行物１及び２は、本願発明が備える下記の構成を開示しもしくは示唆するものではない。
　　　　記（本願発明が備える構成）
　被写体を通過した透過光を電気信号に変換して記録媒体に記録する撮像装置において、メモリに順次記憶されていく映像信号をスルーで第２の出力手段に供給する処理と、メモリでの順次記憶を停止した状態で該メモリ上の映像信号を第２の出力手段に供給することによって前記被写体を交換する場合に当該交換している状態が前記記録媒体に記録されないようにする処理とを切換える切換手段を設けること。
（ｃ）そして、本願発明は前記構成により、被写体を交換している状態がＶＴＲにより記録されることを防止することができ、撮像手段から直接出力された画像をモニタできるとの効果を奏するものである。　
（ｄ）したがって、本願発明は、上記刊行物１及び２に記載された発明に基づいて当業者が容易に発明をすることができたものであるということはできない。
　
４．【むすび】
　以上のとおりであるから、本願発明が特許法第２９条第２項の規定により特許を受けることができないものとする原査定の理由によっては本願を拒絶することはできない。 
　また、他に本願を拒絶すべき理由を発見しない。
　よって結論のとおり審決する。